(57)【特許請求の範囲】
【請求項１】
コンデンサ素子と、
前記コンデンサ素子を収納する収納部が形成されたケースと、
一端側を前記コンデンサ素子内に挿入されて電極箔に接続される外部端子と、
前記ケースの開口側に設置され、前記コンデンサ素子が収納された収納を密閉する封口体と、
を備え、
前記外部端子は、前記コンデンサ素子内部で電極箔に接続される接続部の長さが前記コンデンサ素子よりも短く形成されて配置しており、
前記ケースには、前記収納部内の前記コンデンサ素子の側面周囲に対し、高さの異なる少なくとも２箇所に、外部から押圧して前記コンデンサ素子を固定する加締め部が形成され、
前記加締め部は、前記外部端子と重なる位置に対する前記コンデンサ素子の素子径と前記外部端子が重ならない位置に対する前記コンデンサ素子の素子径との相違に応じて、前記ケースに対する加締め量を異ならせることを特徴とするコンデンサ。
【請求項２】
外部端子を電極箔と接続する工程と、
前記電極箔とセパレータとが積層状態に巻回されたコンデンサ素子を形成する工程と、
前記コンデンサ素子の少なくとも前記外部端子を配置した部分と、前記外部端子を配置していない部分を含め、高さの異なる複数の素子径を測定する工程と、
前記コンデンサ素子をケースに収納する工程と、
素子径を測定した位置と重なる前記ケースの位置に対し、素子径の相違量に応じて、それぞれ異なる加締め量が設定された加締め部を形成する工程を含むことを特徴とするコンデンサの製造方法。
【請求項３】
測定した複数の素子径の差分を算出し、
該差分に応じて、素子径が径小な部分に対する前記ケースへの加締め量を、径大な部分に対する前記ケースへの加締め量よりも多く設定して加締め処理を行う工程を含むことを特徴とする請求項２に記載のコンデンサの製造方法。
【発明の詳細な説明】
【技術分野】
【０００１】
本発明の技術は、ケースに対するコンデンサ素子の固定構造およびコンデンサの製造処理に関する。
【背景技術】
【０００２】
電解コンデンサや電気二重層コンデンサなどのコンデンサは、コンデンサ素子がケース内に収納されている。コンデンサは、自動車などに搭載されるものが増えてきており、激しい振動が継続的に作用することになる。車載されたコンデンサでは、ケース内でコンデンサ素子が激しく振動することで、コンデンサ素子の端子などに過大な応力が加わると、端子部やその周辺部分が破損するおそれがある。そのためコンデンサでは、ケース内部に固定材を封入するものや、ケース側面を加締めてケースとコンデンサ素子とを一体化させることで、ケース内で部品が振動するのを防止するものが知られている。
【０００３】
このようなコンデンサに関し、金属ケースの側面の一部を押圧して加締めることでコンデンサ素子とケースとを接触させ、固定するものがある（たとえば特許文献１、２）。
【先行技術文献】
【特許文献】
【０００４】
【特許文献１】実開昭６４−０２６８３０号公報
【特許文献２】特開２００８−１０９０７４号公報
【発明の概要】
【発明が解決しようとする課題】
【０００５】
ところで、コンデンサでは、ケース内に収納されたコンデンサ素子に対し、耐振動性を向上させるために、複数箇所に加締め処理が施される。加締め処理では、ケースの外周面を押圧して変形させてケース内部のコンデンサ素子の表面部分と一体化させるが、このときコンデンサ素子も押圧される。コンデンサ素子は、加締めにより過大な押圧力が加えられると、コンデンサ素子を形成する電極箔や、その周囲に積層されたセパレータが損傷するおそれがある。
【０００６】
コンデンサは、加締めによる押圧力が小さい場合、コンデンサ素子とケース内面との接触圧力が小さくなり、ケースによるコンデンサ素子の固定力が低下して、コンデンサ素子の振動を抑えられないおそれがある。従って加締め処理では、適切な押圧力の設定が求められる。
【０００７】
また、金属製の外部端子が配置される部分を加締めると、加締め処理の際の押圧力により外部端子の側面角部や先端部が電極箔やセパレータに強く押圧され、電極箔やセパレータが損傷する場合がある。そこで、外部端子の長さを短くし、複数の加締めの一部に外部端子を配置させないことで、電極箔やセパレータの損傷箇所を低減させ、損傷による短絡の可能性を低減させることがある。その場合、コンデンサ素子は、たとえばケースの高さ方向に対して外部端子を配置する箇所と配置しない箇所で素子径が一定でない場合がある。このときケース内部では、ケースの高さ方向への位置の相違によってケースの内壁面とコンデンサ素子との間に生じる隙間の間隔が異なる。
【０００８】
コンデンサでは、この隙間の違いによって加締め処理によるコンデンサ素子への押圧力が異なり、加締め位置毎にコンデンサ素子の固定強度が異なってしまうおそれがある。このような固定強度が相違すると、コンデンサ素子全体に対して振動吸収性が低下するなどの課題がある。
【０００９】
そこで、本発明のコンデンサおよびその製造方法の目的は、外装ケースとコンデンサ素子の固定力を安定化させて、耐振動性を向上させることにある。
【課題を解決するための手段】
【００１０】
上記目的を達成するため、本開示の技術の一側面は、コンデンサ素子と、前記コンデンサ素子を収納する収納部が形成されたケースと、一端側を前記コンデンサ素子内に挿入されて電極箔に接続される外部端子と、前記ケースの開口側に設置され、前記コンデンサ素子が収納された収納部を密閉する封口体とを備え、前記外部端子は、前記コンデンサ素子内部で電極箔に接続される接続部の長さが前記コンデンサ素子よりも短く形成されて配置しており、前記ケースには、前記収納部内の前記コンデンサ素子の側面周囲に対し、高さの異なる少なくとも２箇所に、外部から押圧して前記コンデンサ素子を固定する加締め部が形成され、前記加締め部は、前記外部端子と重なる位置に対する前記コンデンサ素子の素子径と前記外部端子が重ならない位置に対する前記コンデンサ素子の素子径との相違に応じて、前記ケースに対する加締め量を異ならせる。
【００１１】
上記目的を達成するため、本開示の技術の他の一側面は、外部端子を電極箔と接続する工程と、前記電極箔とセパレータとが積層状態に巻回されたコンデンサ素子を形成する工程と、前記コンデンサ素子の少なくとも前記外部端子を配置した部分と、前記外部端子を配置していない部分を含め、高さの異なる複数の素子径を測定する工程と、前記コンデンサ素子をケースに収納する工程と、素子径を測定した位置と重なる前記ケースの位置に対し、素子径の相違量に応じて、それぞれ異なる加締め量が設定された加締め部を形成する工程を含む。
【００１２】
上記コンデンサの製造方法において、測定した複数の素子径の差分を算出し、該差分に応じて、素子径が径小な部分に対する前記ケースへの加締め量を、径大な部分に対する前記ケースへの加締め量よりも多く設定して加締め処理を行う工程を含んでもよい。
【発明の効果】
【００１３】
本発明のコンデンサまたはコンデンサの製造方法によれば、次のいずれかの効果が得られる。
【００１４】
(1) ケースとコンデンサ素子との固定性を高め、外部からの振動に対してコンデンサ機能を維持させることができる。
【００１５】
(2) 複数の加締め部間でコンデンサ素子への押圧力を安定化でき、コンデンサ素子の固定強度を高めることができる。
【００１６】
(3) コンデンサ素子への押圧力が一定となるので、電極箔やセパレータの破損を防止でき、コンデンサの信頼性を高められる。
【図面の簡単な説明】
【００１７】
【図１】一実施の形態に係るコンデンサを示す図である。
【図２】コンデンサ素子の構成例を示す図である。
【図３】コンデンサ内部の構成例を示す図である。
【図４】コンデンサ素子の素子径の測定例を示す図である。
【図５】加締め状態について示す図である。
【図６】コンデンサの製造処理例を示すフローチャートである。
【図７】加締め量の設定処理例を示すフローチャートである。
【発明を実施するための形態】
【００１８】
〔一実施の形態〕
【００１９】
図１は、一実施の形態に係るコンデンサ例を示している。このコンデンサは一例であり、斯かる構成に本発明が限定されるものではない。
【００２０】
このコンデンサ２は、電解コンデンサや電気二重層コンデンサなどいずれのコンデンサであってもよい。コンデンサ２は、たとえば図１に示すように、アルミニウムなどの金属で形成された外装ケース４にコンデンサ素子６が収納されている。外装ケース４は、本発明のケースの一例であり、内部にコンデンサ素子６を収納する収納部５が形成されたコンデンサ２の外装部材である。外装ケース４は、たとえば有底筒状であり、筒状部分にコンデンサ素子６のほか、図示しない電解液などが収納される。なお、外装ケース４はたとえばマンガンやマグネシウムが添加されたアルミニウム合金などの硬質材料であってもよい。硬質材料からなる外装ケース４を用いることで、高温度環境下でコンデンサ２を使用した場合においても、加締め部１２Ｂ、１２Ｃが緩むことはなく、固定力を維持できる。
【００２１】
コンデンサ素子６は、収納部５の内部において、たとえば柱状の一端面が底部に配置され、開口部側に向けて配置された他端面も収納部５内部に配置される。収納部５の開口部側に配置されたコンデンサ素子６の端面には、外部端子８Ａ、８Ｂが設置されている。この外部端子８Ａ、８Ｂは、外部と接続するリード線をアルミニウム棒の一端に接続し、アルミニウム棒の他方端部側を押圧して電極箔と接続する平坦部があり、コンデンサ素子６の一端面から収納部５の外部に向けてリード線が突出されている。そして外部端子８Ａ、８Ｂは、外装ケース４からの突出部分が図示しない基板上に形成された電子回路に、電気的に接続される。
【００２２】
外装ケース４には、たとえば開口部側に、外装ケース４の収納部５を封止させる封口体１０が設置される。さらに外装ケース４の開口部側に向けられた封口体１０の端面は、収納部５の内部に配置される。この封口体１０は、少なくとも側面周囲部分が弾性変形可能な樹脂性の材料で形成され、外装ケース４の内周面に密着して収納部５を封口する。
【００２３】
封口体１０の中央部分には、コンデンサ素子６の外部端子８Ａ、８Ｂを貫通させる貫通孔９があり、その貫通孔９内で外部端子８Ａ、８Ｂの一部が密着されて、外部から水分や異物の混入を阻止する。
【００２４】
コンデンサ２は、外装ケース４を押圧することで、収納部５内に収納されたコンデンサ素子６の側面周囲側と外装ケース４の内周面とを一体化させる加締め処理が行われる。外装ケース４の側面には、複数の加締め部１２がある。加締め部１２Ａは、外装ケース４の開口側に近い位置を加締めており、収納部５の内部に設置された封口体１０の側面を押圧して外装ケース４と一体化させ、外装ケース４と封口体１０の固定および、外装ケース４の密封性を確保する。
【００２５】
また加締め部１２Ｂ、１２Ｃは、たとえば外装ケース４の中央側および底部側に近い位置の周縁部分に設定され、収納部５内のコンデンサ素子６の側面部分を加締めることで外装ケース４の内周面と一体化させている。コンデンサ素子６に対する加締め部１２Ｂ、１２Ｃの形成位置は、たとえばコンデンサ２やコンデンサ素子６の長さや荷重のバランス、またはコンデンサ２が設置される装置または設置環境などの条件に応じて設定すればよい。たとえば、コンデンサ素子６の上端側と下端側を加締め部とすることにより、コンデンサ素子６の収納部５内での振動抑制が期待できる。つまり、加締め部によるコンデンサ素子６を支持する箇所を集中させた場合、加締め部を支点にコンデンサ素子６が振動し、外部端子８Ａ、８Ｂに振動により生じる応力が集中し、破断するおそれがある。しかしながら、コンデンサ素子６の上下端側を加締めることで、加締め部が離間し、コンデンサ素子６の収納部５内での振動の抑制が期待できる。このとき、加締め部１２Ｂ、１２Ｃは、コンデンサ２の重心を挟む位置にある。コンデンサ素子６の重心を挟む位置でコンデンサ素子６が外装ケース４によって固定されることで、外装ケース４内での振動防止が期待できる。これらの加締め部１２Ｂ、１２Ｃの位置により、外装ケース４内部でのコンデンサ素子６の支持強度などが決まる。また、加締め部１２Ｂ、１２Ｃは、外部端子８Ａ、８Ｂの接続部２０Ａ、２０Ｂ（図２）の先端部を避けて加締め処理を施すことが好ましい。接続部２０Ａ、２０Ｂの先端部は角部が多数あり、加締めることにより電極箔やセパレータが損傷するおそれがある。
【００２６】
そのほか、コンデンサ２では、外装ケース４の開口部分から収納部５の内部に向けてカーリング処理が施され、外装ケース４の開口部の端部が封口体１０の端面側を押圧している。このカーリング処理により、開口部から封口体１０が離脱するのを防止するほか、収納部５内の電解液が蒸散しないように外装ケース４を封止させている。
【００２７】
＜コンデンサ素子６について＞
【００２８】
コンデンサ素子６は、たとえば図２に示すように外部端子８Ａ、８Ｂが接続された陽極側および陰極側の電極箔１６にセパレータ１４を介在させて柱状に巻回され、その外周部分に巻止めテープ１８を巻回して円柱形状である。巻止めテープ１８は、たとえば紙や絶縁性のテープなどであって、少なくとも電極箔１６と同等の幅であり、電極箔１６の周囲を覆い、巻回状態を維持させている。コンデンサ素子６に対する加締め部１２Ｂ、１２Ｃ（図１）は、巻止めテープ１８が巻き付けられた範囲内に設定されればよい。このようにすることで、巻止めテープ１８が加締め処理によりコンデンサ素子６が押圧された場合の緩衝材となり、電極箔１６やセパレータ１４への影響を低減できる。なお、巻止めテープ１８は複数周巻回されているとより好ましい。コンデンサ素子６の外周に巻止めテープ１８層を形成することで、加締め部１２Ｂ、１２Ｃがコンデンサ素子６を押圧しても、巻止めテープ１８層が緩衝材となり、電極箔１６やセパレータ１４への影響をより低減させることができる。巻止めテープ１８層の厚さとしては、２００〜６００〔μｍ〕が好ましい。２００〔μｍ〕未満の場合、加締め処理による押圧力からの緩衝作用の効果は低く、６００〔μｍ〕を超えると、収納する外装ケース４を大きくしなければならず、小型化を阻害する。
【００２９】
外部端子８Ａ、８Ｂは、一端側に平坦状の接続部２０Ａ、２０Ｂがそれぞれ陽極側または陰極側の電極箔１６に対して冷間圧接やステッチ接続、超音波溶接などによって接続されている。接続部２０Ａ、２０Ｂは、コンデンサ素子６の両端面間の長さよりも短く設定されており、一端面側から挿入された接続部２０Ａ、２０Ｂの先端部分がコンデンサ素子６の中央側に配置される。
【００３０】
コンデンサ素子６に対する加締め処理では、コンデンサ素子６の荷重や外部からの振動などによる負荷をバランス良く支持するために、たとえば２つの加締め部１２Ｂ、１２Ｃが高さ方向で離間して形成される。またコンデンサ素子６は、外部端子８Ａ、８Ｂが基板などに接続することで、外部からの振動負荷を受けやすいため、外装ケース４と一体化して支持することが望ましい。従ってコンデンサ素子６には、接続部２０Ａ、２０Ｂと重なる範囲に加締め部１２Ｂがある。
【００３１】
ここで、コンデンサ素子６は、円筒部分の高さ方向に対する位置によって素子径が異なっている。コンデンサ素子６は、たとえば外部端子８Ａ、８Ｂが介在する上部側の部分の素子径Ｗ１が底部側の部分の素子径Ｗ２よりも大きくなっている。この素子径の相違は、たとえば幅Ｗ３の接続部２０Ａ、２０Ｂの有無により生じる。
【００３２】
＜加締め処理について＞
【００３３】
外装ケース４は、たとえば収納部５の内径Ｗ４が一定の大きさで形成されている。そのためコンデンサ２では、図３に示すように、コンデンサ素子６の素子径が一定でないため、外装ケース４の内壁とコンデンサ素子６との間の隙間の幅が、コンデンサ素子６の幅に応じて異なる。
【００３４】
そのためコンデンサ２では、加締め位置におけるコンデンサ素子６の素子径に応じて加締め部１２Ｂと加締め部１２Ｃの加締め量を異ならせている。加締め量は、押圧により外装ケース４を内側に変形させる溝深さであり、加締め部１２Ｂの加締め量Ｌ１と加締め部１２Ｃの加締め量Ｌ２の値が異なる。すなわち、加締め部１２Ｂは、コンデンサ素子６の径大部を加締める。また加締め部１２Ｃは、コンデンサ素子６の高さ方向に対して加締め部１２Ｂと異なる位置の径小部分を加締める。
【００３５】
加締め量Ｌ１、Ｌ２の設定では、加締め部１２Ｂの位置に配置されるコンデンサ素子６の素子径Ｗ１と、加締め部１２Ｃの位置に配置されるコンデンサ素子６の素子径Ｗ２の差分値に基づいて決定される。加締め量は、外装ケース４の内壁までの隙間が小さい加締め部１２Ｂが加締め部１２Ｃよりも小さな値で設定される。加締め量の相違は、たとえば以下の式（１）で設定される。
（Ｌ２−Ｌ１）＝（Ｗ１−Ｗ２）／２                      ・・・（１）
ここで、加締め部１２Ｂ、１２Ｃは、加締め量が異なるが、コンデンサ素子６の外装面に対する外装ケース４の圧着量は同等に設定される。
【００３６】
＜加締め量の設定例＞
【００３７】
図４は、コンデンサ素子６の素子径の測定例を示している。
【００３８】
加締め量の設定では、巻回されたコンデンサ素子６について、加締め位置に対応する位置の素子径を測定し、この測定値を利用して、収納部５内での隙間やコンデンサ素子６の側面側の変形量によって加締め量が設定される。
【００３９】
コンデンサ素子６の加締め部１２Ｂの位置では、たとえば図４のＡに示すように、電極箔１６である陽極箔２２および陰極箔２４の両面側にセパレータ１４を介在させて巻回されており、電極箔同士が接触しないように形成される。また陽極箔２２および陰極箔２４には、一部の面に角柱状に形成された接続部２０Ａ、２０Ｂを含む外部端子８Ａ、８Ｂが接続されている。接続部２０Ａ、２０Ｂは、たとえば同等の大きさで形成されている。コンデンサ素子６は、接続部２０Ａ、２０Ｂの短辺の幅Ｗ３と長辺の幅Ｗ５の影響を受けて断面が楕円状になっている。
【００４０】
また加締め位置１２Ｃの位置では、たとえば図４のＢに示すように、外部端子８Ａ、８Ｂがコンデンサ素子６の内部に配置されていないので、断面が真円に近い形状になっている。
【００４１】
素子径の測定では、たとえば素子径の複数の測定値に対して単純平均を行ってもよく、または接続部２０Ａ、２０Ｂの幅や複数の位置や方向から測定した素子径同士の差分などを加味した算出方法を用いてもよい。
【００４２】
＜加締め処理について＞
【００４３】
加締め量の設定では、加締め位置毎に算出された素子径Ｗ１、Ｗ２の差分を算出し、たとえば素子径が大きい加締め部１２Ｂでの加締め量Ｌ１を基準に、コンデンサ素子６の周方向に対して、算出した差分だけ加締め部１２Ｃの加締め量Ｌ２を多くする。または、この加締め量の設定では、コンデンサ素子６の巻回部分に外部端子８Ａ、８Ｂなどの部材が介在しない加締め部１２Ｃの加締め量を基準にしてもよい。
【００４４】
加締め部１２Ｂでは、たとえば図５のＡに示すように加締め量Ｌ１に対して、コンデンサ素子６への押圧による変位量Ｌ３が設定される。この変移量Ｌ３は、たとえば算出した素子径Ｗ１に対する加締め後の内径Ｗ６を想定して設定すればよい。この内径Ｗ６は、加締めによるコンデンサ素子６への押圧力が過大とならない状態であるとともに、外装ケース４によるコンデンサ素子６の支持が発揮可能な大きさで設定される。
【００４５】
また加締め部１２Ｃでは、たとえば図５のＢに示すように加締め量Ｌ２に対して、コンデンサ素子６への押圧による変位量Ｌ４が設定される。この変位量Ｌ４は、加締め部１２Ｂにおける変移量Ｌ３と同等に設定されている。すなわち、コンデンサ２では、素子径Ｗ１、Ｗ２の差分に基づいて加締め量Ｌ１、Ｌ２を設定することで、コンデンサ素子６と外装ケース４の内壁との隙間を吸収させ、外装ケース４からコンデンサ素子６に対する押圧力を一定にしている。このときの加締め部１２Ｃの内径Ｗ７は、加締め量Ｌ２が加締め量Ｌ１よりも大きいことから、加締め部１２Ｂの内径Ｗ６よりも狭くなる。
【００４６】
素子径の測定や平均値の算出処理および加締め量の設定処理では、たとえば測定用のセンサなどの測定手段や、コンピュータによって平均値の算出や素子径の差分算出など行う演算処理部などを備えた測定装置を利用すればよい。また加締め処理は、この測定装置と連動して、加締め位置に対して設定した加締め量の加締め処理を行う加工装置を利用すればよい。
【００４７】
＜コンデンサの製造処理について＞
【００４８】
図６および図７は、コンデンサの製造例を示している。図６および図７に示す処理内容または処理手順は本開示のコンデンサの製造方法の一例であり、斯かる内容に本発明が限定されない。
【００４９】
コンデンサの製造処理では、たとえば図６に示すように、コンデンサ素子６の形成処理（Ｓ１）として、電極箔１６に対してそれぞれセパレータ１４を積層するとともに、陽極箔２２および陰極箔２４にそれぞれ外部端子８Ａ、８Ｂを接続させて巻回する。このときコンデンサ素子６には、たとえば巻止めテープ１８が巻回される。巻回されたコンデンサ素子６は、電解液の含浸処理が行われる（Ｓ２）。
【００５０】
コンデンサ素子６は、加締めの位置に対する加締め量の設定処理が行われる（Ｓ３）。コンデンサ素子６は、たとえば電極箔に電解液が含浸されることで素子径が変化するため、コンデンサ素子径の測定処理は、含浸処理の後に行われるのが望ましい。
【００５１】
コンデンサ素子６は、外部端子８Ａ、８Ｂ側に封口体１０を装着した後、外装ケース４に対して封入される（Ｓ４）。外装ケース４は、封口体１０が配置される位置に加締め処理が施される（Ｓ５）ほか、開口側のカーリング処理などが行われる。
【００５２】
外装ケース４は、設定された位置および加締め量に基づいて、封入されたコンデンサ素子６に対する加締め処理が行われる（Ｓ６）。そのほか、コンデンサ２では、検品処理や端子部分の加工などが施される。
【００５３】
加締め量の設定では、巻回されたコンデンサ素子６に対し加締め部１２Ｂ、１２Ｃの加締め位置が特定される（Ｓ１１）。この加締め位置の特定処理では、たとえば接続部２０Ａ、２０Ｂが配置される位置および配置されない位置が、コンデンサ素子６の底部側または上部側の端面からの距離などに基づいて設定される。そのほか、電極箔１６の端面部分を回避するほか、接続部２０Ａ、２０Ｂの先端部分などを回避するなどの条件を判断してもよい。電極箔１６の端面部分を回避して加締め位置を設定することで、電極箔１６を所定幅に裁断した際に裁断面に生じるバリに重なる位置を加締めるのを防止できる。これにより、加締め部１２Ｂ、１２Ｃによって押圧されたバリがセパレータ１４を突き破り、電極箔１６同士が短絡するのを回避できる。
【００５４】
各加締め位置のコンデンサ素子６の素子径を測定し、加締め位置が特定されると、加締め部１２Ｂ、１２Ｃ間での素子径が比較され（Ｓ１２）、素子径の差分が算出される。そして算出された差分に応じて、各加締め部１２Ｂ、１２Ｃ毎に加締め量Ｌ１、Ｌ２が設定される（Ｓ１３）。
【００５５】
＜一実施の形態の機能および効果＞
【００５６】
(1) このコンデンサ２では、外装ケース４に封入されるコンデンサ素子６に対する複数の加締め量について、加締め位置における素子径の差分に応じて加締め量を異ならせることで、一部の過大な押圧力による電極箔１６の損傷を防止できる。これによりコンデンサ２の信頼性が高められる。
【００５７】
(2) 素子径の異なる加締め位置に対して加締め量を異ならせることで、外装ケース４によるコンデンサ素子６の押圧力が安定化し、外部からの力による振動に対し、コンデンサ素子６の固定強度が高められる。
【００５８】
(3) 素子径の差分に基づいて外装ケース４に対する加締め量を異ならせることで、コンデンサ素子６への押圧による変位量Ｌ３、Ｌ４が確保され、コンデンサ素子６の支持状態を維持できる。
【００５９】
(4) また、加締め量は、コンデンサ素子６と外装ケース４の内壁との隙間の相違量に応じた値が設定されるので、コンデンサ素子６の押圧力が安定化し、加締めによる支持力の不足または逆に過大な支持力となるのを防止できる。
【００６０】
(5) コンデンサ素子６に対し離間した複数箇所で加締めることで、コンデンサ素子６が加締め部を軸として外装ケース４の側面方向に振動するのを防止できる。
【００６１】
(6) 加締め部１２Ｂ、１２Ｃにおいてコンデンサ素子６への押圧力を一定にすることで、コンデンサ素子６の一部に捻れや撓みが生じるのを防止できるほか、固定力の弱い加締め部側に向けて振動による負荷が過大となるのを防止できる。
【００６２】
(7) 複数の加締め部１２Ｂ、１２Ｃのいずれかによって外部端子８Ａ、８Ｂに重なる位置を加締め、外部端子８Ａ、８Ｂに対する押圧負荷の軽減が図れる。すなわち、コンデンサ２では、外部端子８Ａ、８Ｂが加締め処理を施す加締め位置１２Ｂ、１２Ｃの全てに重ならない長さや位置となるように形成されるので、加締め処理に伴う押圧力によって外部端子８Ａ、８Ｂが電極箔１６やセパレータ１４を損傷する可能性を低くできる。また、加締め部１２Ｂ、１２Ｃにおいて加締め量を異ならせてコンデンサ素子６に対する押圧力を一定にすることで、コンデンサ素子６の固定力向上に伴う耐振動性向上を図ることができる。
【００６３】
(8) コンデンサ２は、外部端子８Ａ、８Ｂの電極箔１６に載置する部分がコンデンサ素子６の高さよりも短く形成され、コンデンサ２の高さ方向において、コンデンサ素子６の内部に外部端子８Ａ、８Ｂが介在しない部分が形成されている。この外部端子８Ａ、８Ｂが介在しない部分の断面形状は、真円に近くなり、加締め処理による押圧力がより一定になりやすい。このような真円部分を加締めたコンデンサ２は、固定支持力が向上するとともに、コンデンサ２全体において耐振動性が向上する。
【００６４】
〔他の実施の形態〕
【００６５】
(1) 素子径の測定では、予め測定を行う方向を設定し、各加締め部１２Ｂ、１２Ｃにおいて同等な方向から測定した素子径を利用して加締め量が設定されればよい。加締め量の設定では、たとえば各加締め部１２Ｂ、１２Ｃにおける素子径の測定方向を設定し、この測定方向毎に加締め部１２Ｂ、１２Ｃ間の素子径の差分を算出して加締め量を設定する。そして、加締め処理では、測定方向毎に加締め量を変化させてもよい。
【００６６】
斯かる構成によれば、電極箔１６内に挿入されている接続部２０Ａ、２０Ｂについて、縦方向の幅Ｗ３および横方向の幅Ｗ５に応じて、コンデンサ素子６の周方向に対して詳細な加締め量が設定でき、コンデンサ素子６の支持安定性が高められる。
【００６７】
また、コンデンサ２の製造処理では、コンデンサ素子６の素子径に合せて加締め深さを設定する場合に限られず、たとえば管理幅としてコンデンサ素子６の幅（素子径）が所定の大きさの範囲内にあるか否かを判断してもよい。そして、加締め処理では、管理幅に該当するコンデンサ素子６に対し、管理幅に合せて予め設定された加締め深さで加締め部１２Ｂ、１２Ｃを形成してもよい。これにより加締め処理では、段階的な加締め深さの設定が可能となり、コンデンサ２の製造処理の迅速化が図れるとともに、管理幅の種類によって、コンデンサ素子６の素子径に対する加締め量の設定精度を高める効果が期待できる。
【００６８】
(2) コンデンサ２では、加締め部１２Ｂ、１２Ｃが１つずつ設定される場合に限られない。加締め部は、コンデンサ素子６に対して３つ以上の加締め部があってもよい。この場合、加締め量の設定では、たとえば１の加締め部の素子径を基準とし、他の加締め部の素子径に対する差分を算出すればよい。
【００６９】
(3) このコンデンサ２は、電解コンデンサや電気二重層コンデンサのみ限られず、固体コンデンサなどの各種のコンデンサや蓄電機能を重視する蓄電素子にも適用することができる。
【００７０】
(4) 加締め部１２Ｂ、１２Ｃのコンデンサ素子６を押圧する部分が平坦面であってもよい。このようにコンデンサ素子６の押圧部の形状を平坦面にすることで、コンデンサ素子６への押圧力が部分的に集中させず、均一状態に付与でき、電極箔やセパレータの破損が生じにくくなる。また、コンデンサ素子６の押圧面が広いため、コンデンサ素子６を支持する面積が大きく、固定性も向上する。
【００７１】
(5) 上記実施の形態では、巻止めテープ１８の幅を電極箔１６と同等としたが、これに限らない。巻止めテープ１８は、コンデンサ素子６の加締め部１２Ｂ、１２Ｃが形成される部分に配置していればよいので、その幅はたとえば、巻止めテープ１８を加締め部１２Ｂ、１２Ｃの幅以上として、コンデンサ素子６の加締め部１２Ｂ、１２Ｃに相当する部分のみに分割して配置してもよい。このようにすれば、巻止めテープ３０の幅をコンデンサ素子６の長さによって変える必要がなく、様々な長さのコンデンサ素子６に対応することができるし、巻止めテープ１８の使用量の削減など、材料費の削減効果も期待できる。
【００７２】
(6) 上記実施の形態では、加締め位置１２Ｂでのコンデンサ素子６の素子形状が接続部２０Ａ、２０Ｂの介在により楕円状になっており、また加締め位置１２Ｃでのコンデンサ素子６の素子形状が真円に近い形状となっているが、これに限らない。接続部２０Ａ、２０Ｂを介在させることでコンデンサ素子６の形状が変わることに基づき、コンデンサ素子６は、楕円状に巻き始め、接続部２０Ａ、２０Ｂを介在させることで真円になるよう巻回させてもよい。これによりコンデンサ素子６は、素子径が大きくなる接続部２０Ａ、２０Ｂが配置される部分の素子形状を外装ケース４と同様に真円またはそれに近い形状にできるため、外装ケース４に対するコンデンサ素子６の体積効率の向上を期待できる。
【００７３】
以上説明したように、本発明のコンデンサおよびその製造方法の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が本発明の範囲に含まれることは言うまでもない。
【産業上の利用可能性】
【００７４】
本発明は、内部にコンデンサ素子を収納した外装ケースの周面を押圧して複数箇所を加締めたコンデンサ２であり、素子径が異なるコンデンサ素子に対して、加締め部間の押圧力を一定にすることで、電極箔の損傷の防止や、コンデンサ素子の支持状態を安定化でき、有用である。
【符号の説明】
【００７５】
２  コンデンサ
４  外装ケース
５  収納部
６  コンデンサ素子
８Ａ、８Ｂ  外部端子
１０  封口体
１２、１２Ａ、１２Ｂ、１２Ｃ  加締め部
１４  セパレータ
１６  電極箔
１８  巻止めテープ
２０Ａ、２０Ｂ  接続部
２２  陽極箔
２４  陰極箔
【図１】
0006354450.tif 000002
【図２】
0006354450.tif 000003
【図３】
0006354450.tif 000004
【図４】
0006354450.tif 000005
【図５】
0006354450.tif 000006
【図６】
0006354450.tif 000007
【図７】
0006354450.tif 000008